(57)【要約】【課題】  画像処理装置側に特別な構成を設ける必要がなく、簡易な構成で、容易に、画像処理装置内の不良個所を詳細に判定することを可能とする。【解決手段】  入力された画像データに対して各々異なる画像処理を行う一つ以上の画像処理機能を具備する画像処理装置２の検査を行う際、各画像処理機能（第１〜第３の機能ブロック２ａ〜２ｃ）による画像処理の実行対象となるそれぞれの要素データ（文字データ、絵柄データ、ノイズデータ、有価証券データなど）を予め定められたエリア別に含む検査用画像データ１ｂを検査データ入力手段１ｃにより検査対象の画像処理装置２に入力し、画像処理装置２からの画像処理後の画像データ２ｄと、予め用意された正常処理後の参照用画像データ１ｄとをデータ比較手段１ｅで比較し、データ不一致となるエリアをエリア検出手段１ｆで検出すると当該エリアに含まれる要素データを画像処理の実行対象とする画像処理機能を不良であると良否判定手段１ｇで判定する構成とする。【選択図】        図１
2005167767.tif 000002
【特許請求の範囲】
【請求項１】
入力された画像データに対して各々異なる画像処理を行う一つ以上の画像処理機能を具備する画像処理装置の検査を行うシステムであって、
上記画像処理機能による画像処理の実行対象となるそれぞれの要素データを予め定められたエリア別に含む検査用画像データを検査対象の画像処理装置に入力する検査データ入力手段と、
入力された上記検査用画像データに対して上記検査対象の画像処理装置で画像処理され出力された画像データを受け取る画像データ受信手段と、
該画像データ受信手段で受け取った画像データと、予め記憶装置に記憶された上記検査用画像データに対して正常な画像処理が行われた際の参照用画像データとを比較する比較手段と、
該比較手段による比較でデータ不一致となるエリアを検出する検出手段と、
該検出手段でデータ不一致のエリアを検出すると当該エリアに含まれる要素データを画像処理の実行対象とする画像処理機能を特定し該画像処理機能が不良であると判定する良否判定手段と
を有することを特徴とする画像処理装置検査システム。
【請求項２】
入力された画像データの各々指定されたエリアに対して異なる画像処理を行う一つ以上の画像処理機能を具備する画像処理装置の検査を行うシステムであって、
上記画像処理機能による画像処理の実行対象となるそれぞれの要素データを含む検査用画像データを検査対象の画像処理装置に入力する検査データ入力手段と、
入力された上記検査用画像データに対して上記検査対象の画像処理装置で指定のエリア毎に画像処理され出力された画像データを受け取る画像データ受信手段と、
該画像データ受信手段で受け取った画像データと、予め記憶装置に記憶された上記検査用画像データに対して正常な画像処理が行われた際の参照用画像データとを比較する比較手段と、
該比較手段による比較でデータ不一致となる上記エリアを検出する検出手段と、
該検出手段でデータ不一致のエリアを検出すると当該エリアが指定された画像処理機能を特定し該画像処理機能が不良であると判定する良否判定手段と
を有することを特徴とする画像処理装置検査システム。
【請求項３】
入力された画像データの各々指定されたエリアに対して異なる画像処理を行う一つ以上の画像処理機能を具備する画像処理装置の検査を行うシステムであって、
上記画像処理機能による画像処理の実行対象となるそれぞれの要素データを予め定められたエリア別に含む検査用画像データを検査対象の画像処理装置に入力する検査データ入力手段と、
入力された上記検査用画像データに対して上記検査対象の画像処理装置で指定のエリア毎に画像処理され出力された画像データを受け取る画像データ受信手段と、
該画像データ受信手段で受け取った画像データと、予め記憶装置に記憶された上記検査用画像データに対して正常な画像処理が行われた際の参照用画像データとを比較する比較手段と、
該比較手段による比較でデータ不一致となる上記エリアを検出する検出手段と、
該検出手段でデータ不一致のエリアを検出すると当該エリアが指定された画像処理機能を特定し該画像処理機能が不良であると判定する良否判定手段と
を有することを特徴とする画像処理装置検査システム。
【請求項４】
請求項１から請求項３のいずれかに記載の画像処理装置検査システムであって、
上記検査データ入力手段で入力する上記検査用画像データは、文字データ、絵柄データ、ゴミや傷もしくは異物等のオリジナル画像および原稿とは異なるノイズデータ、紙幣もしくは証券等の有価証券データの少なくともいずれか１つを含み、
上記検査対象の画像処理装置における、上記文字データ、絵柄データ、ノイズデータ、有価証券データのいずれかを画像処理の実行対象とする画像処理機能の検査を行うことを特徴とする画像処理装置検査システム。
【請求項５】
請求項１から請求項４のいずれかに記載の画像処理装置検査システムであって、
上記検査データ入力手段は、予め用意された原稿から上記検査用画像データを読み取る手段、もしくは、予め記録媒体に記録された上記検査用画像データを読み取る手段、あるいは、ネットワークを介して上記検査用画像データを取得する手段の少なくともいずれか１つを有することを特徴とする画像処理装置検査システム。
【請求項６】
コンピュータを、請求項１から請求項５のいずれかに記載の画像処理装置検査システムにおける各手段として機能させるためのプログラム。
【請求項７】
入力された画像データに対して各々異なる画像処理を行う一つ以上の画像処理機能を具備する画像処理装置の検査を行うシステムの画像処理装置検査方法であって、
上記画像処理機能による画像処理の実行対象となるそれぞれの要素データを予め定められたエリア別に含む検査用画像データを検査対象の画像処理装置に入力する第１の手順と、
入力された上記検査用画像データに対して上記検査対象の画像処理装置で画像処理され出力された画像データを受け取る第２の手順と、
該第２の手順で受け取った画像データと、予め記憶装置に記憶された上記検査用画像データに対して正常な画像処理が行われた際の参照用画像データとを比較する第３の手順と、
該第３の手順での比較でデータ不一致となるエリアを検出する第４の手順と、
該第４の手順でデータ不一致のエリアを検出すると当該エリアに含まれる要素データを画像処理の実行対象とする画像処理機能を特定し該画像処理機能が不良であると判定する第５の手順と
を有することを特徴とする画像処理装置検査方法。
【請求項８】
入力された画像データの各々指定されたエリアに対して異なる画像処理を行う一つ以上の画像処理機能を具備する画像処理装置の検査を行うシステムの画像処理装置検査方法であって、
上記画像処理機能による画像処理の実行対象となるそれぞれの要素データを含む検査用画像データを検査対象の画像処理装置に入力する第１の手順と、
入力された上記検査用画像データに対して上記検査対象の画像処理装置で指定のエリア毎に画像処理され出力された画像データを受け取る第２の手順と、
該第２の手順で受け取った画像データと、予め記憶装置に記憶された上記検査用画像データに対して正常な画像処理が行われた際の参照用画像データとを比較する第３の手順と、
該第３の手順での比較でデータ不一致となる上記エリアを検出する第４の手順と、
該第４の手順でデータ不一致のエリアを検出すると当該エリアが指定された画像処理機能を特定し該画像処理機能が不良であると判定する第５の手順と
を有することを特徴とする画像処理装置検査方法。
【請求項９】
入力された画像データの各々指定されたエリアに対して異なる画像処理を行う一つ以上の画像処理機能を具備する画像処理装置の検査を行うシステムの画像処理装置検査方法であって、
上記画像処理機能による画像処理の実行対象となるそれぞれの要素データを予め定められたエリア別に含む検査用画像データを検査対象の画像処理装置に入力する第１の手順と、
入力された上記検査用画像データに対して上記検査対象の画像処理装置で指定のエリア毎に画像処理され出力された画像データを受け取る第２の手順と、
該第２の手順で受け取った画像データと、予め記憶装置に記憶された上記検査用画像データに対して正常な画像処理が行われた際の参照用画像データとを比較する第３の手順と、
該第３の手順での比較でデータ不一致となる上記エリアを検出する第４の手順と、
該第４の手順でデータ不一致のエリアを検出すると当該エリアが指定された画像処理機能を特定し該画像処理機能が不良であると判定する第５の手順と
を有することを特徴とする画像処理装置検査方法。
【請求項１０】
請求項７から請求項９のいずれかに記載の画像処理装置検査方法であって、
上記第１の手順で入力する上記検査用画像データは、文字データ、絵柄データ、ゴミや傷もしくは異物等のオリジナル画像および原稿とは異なるノイズデータ、紙幣もしくは証券等の有価証券データの少なくともいずれか１つを含み、
上記検査対象の画像処理装置における、上記文字データ、絵柄データ、ノイズデータ、有価証券データのいずれかを画像処理の実行対象とする画像処理機能の検査を行うことを特徴とする画像処理装置検査方法。
【請求項１１】
請求項７から請求項１０のいずれかに記載の画像処理装置検査方法であって、
上記第１の手順は、予め用意された原稿から上記検査用画像データを読み取る手順、もしくは、予め記録媒体に記録された上記検査用画像データを読み取る手順、あるいは、ネットワークを介して上記検査用画像データを取得する手順の少なくともいずれか１つを有することを特徴とする画像処理装置検査方法。
【発明の詳細な説明】
【技術分野】
【０００１】
本発明は、一つ以上の画像信号処理機能を具備した画像処理装置の検査技術に係わり、特に、コピー機やファクシミリ（ＦＡＸ）、プリンタ、デジタルラボ等の画像処理システムに組み込まれる画像処理基板の検査、解析、不良診断、テスト等を効率的に行うのに好適な技術に関するものである。
【背景技術】
【０００２】
コピー機やファクシミリ、プリンタ、デジタルラボ、医療用画像記録装置等のシステムに用いられる画像処理装置には、入力される画像データに対して各種の画像処理を個別に施すための一つ以上の画像処理機能が組み込まれている。
【０００３】
例えばコピー機では、ＣＣＤ（Charge Coupled Devices、電荷結合素子）などの画像読みとり部で原稿から画像データを読み取り、読み取った画像データに対して、各画像処理機能ブロックにより、（１）光源シェーディング（光源むら）補正、（２）画像有効エリアの切り出し等の領域設定、（３）パターン認識、（４）色変換処理などの各種のデジタル画像処理を行い、デジタル画像処理後のデータをプリント出力部に送る。
【０００４】
従来、このような一つ以上の画像処理機能ブロックを有する画像処理装置に対する検査技術では、画像処理装置に１枚の原稿から画像データを入力して、画像処理を行い、画像処理後の画像データに基づき、各機能ブロックによる画像処理が正常であるか否かを判断する技術が用いられている。
【０００５】
画像処理装置には高価なＬＳＩ（Large Scale Integration）や周辺回路からなるボード（基板）が使用されているため、不良発生時には、不良個所単位での修理または交換が要求され、どの画像処理機能ブロックに不具合があるのかを判断する必要がある。例えば、その画像処理に関係するボードあるいはＬＳＩを交換して実験したり、数ある画像処理機能を一つずつ、稼動状態・非稼動状態にして不良個所を特定していた。
【０００６】
また、さらに詳細に不良個所を特定するためには、オシロスコープあるいはロジックアナライザを用い、目視による波形観測により判断しなければならず、この場合、観測点も多く、良否箇所の判定が非常に困難となる。
【０００７】
このような問題を回避する従来技術として、例えば、特許文献１に記載のように、特別な検査装置も提案されているが、この技術では、予め特別な検査装置を準備しておく必要があり、また、ボード単位までの良否判定しかできない。
【０００８】
また、特許文献２に記載のように、画像処理装置側に特別な構成を設け、不良個所特定を容易に判定できるようにする技術がある。この特許文献２に記載の技術では、画像処理装置内の各画像処理機能ブロック毎にテストパターンを内蔵しておき、エリアを切り出してテストパターンを出力することができ、一度に全ての機能ブロックのテストパターンに対応する出力結果を表示できる。
【０００９】
しかし、この特許文献２に記載の技術では、画像処理装置内の各画像処理機能ブロック毎にテストパターンを内蔵することが必要であるとの問題点、および、各画像処理機能ブロック毎にエリア切り出しを行わなければならず、画像処理装置側に特別な構成を設けなければならないとの問題点がある。
【００１０】
また、近年、画像処理技法が増えたり、ＤＳＰ（Digital Signal Processor）等の利用により、１つの画像処理機能ブロックにおいて、複数の画像処理を行うような画像処理装置が多くなってきているが、特許文献２に記載の技術では、各画像処理機能ブロック単位までしか不良個所を推測できないとの問題点もある。
【００１１】
【特許文献１】特開平３−２９７２６２号公報
【特許文献２】特開平９−１０２８３９号公報
【発明の開示】
【発明が解決しようとする課題】
【００１２】
解決しようとする問題点は、従来の技術では、画像処理装置側に特別な構成を設ける必要があり、簡易な構成で、容易に、画像処理装置内の不良個所を詳細に判定することができない点である。
【課題を解決するための手段】
【００１３】
上記目的を達成するため、本発明では、入力された画像データに対して各々異なる画像処理を行う一つ以上の画像処理機能を具備する画像処理装置の検査を行う際、画像処理機能による画像処理の実行対象となるそれぞれの要素データを予め定められたエリア別に含む検査用画像データを検査対象の画像処理装置に入力し、入力された検査用画像データに対して検査対象の画像処理装置で画像処理され出力された画像データを受け取る画像データ受信手段と、予め検査用画像データに対して正常な画像処理装置で画像処理されて出力され記憶装置に記憶された参照用画像データとを比較し、この比較でデータ不一致となるエリアを検出すると当該エリアに含まれる要素データを画像処理の実行対象とする画像処理機能を不良であると判定するので、画像処理装置側に特別な構成を設けることなく、画像処理装置内の各機能ブロックの不良個所を特定することができる。
【発明の効果】
【００１４】
本発明によれば、画像処理装置側に特別な構成を設けることなく、簡易な構成で、画像処理装置内の各機能ブロックの不良個所を容易に判定することが可能である。
【発明を実施するための最良の形態】
【００１５】
以下、図を用いて本発明を実施するための最良の形態例を説明する。
【実施例】
【００１６】
図１は、本発明に係わる画像処理装置検査システムの第１の構成例を示すブロック図であり、図２は、本発明に係わる画像処理装置検査システムのハードウェア構成例を示すブロック図である。
【００１７】
図２において、２１はＣＲＴ（Cathode Ray Tube）やＬＣＤ(Liquid Crystal Display)等からなる表示装置、２２はキーボードやマウス等からなる入力装置、２３はＨＤＤ（Hard Disk Drive）等からなる外部記憶装置、２４はＣＰＵ（Central Processing Unit）２４ａや主メモリ２４ｂおよび入出力インタフェース２４ｃ等を具備してコンピュータ処理を行う情報処理装置、２５は本発明に係わるプログラムやデータを記録したＣＤ−ＲＯＭ（Compact Disc-Read Only Memory）もしくはＤＶＤ（Digital Video Disc/Digital Versatile Disc）等からなる光ディスク、２６は光ディスク２５に記録されたプログラムおよびデータを読み出すための駆動装置、２７はＬＡＮ（Local Area Network）カードやモデム等からなる通信装置である。
【００１８】
光ディスク２５に格納されたプログラムおよびデータを情報処理装置２４により駆動装置２６を介して外部記憶装置２３内にインストールした後、外部記憶装置２３から主メモリ２４ｂに読み取りＣＰＵ２４ａで処理することにより、情報処理装置２４内に図１に示す画像処理装置検査システムにおける各処理手段の処理が実行される。
【００１９】
図１における画像処理装置の検査システム１は、ＩＥＥＥ１３９４やＵＳＢ等のシリアルまたはパラレルあるいはアナログ等のインタフェースを介して検査データ（画像データ）を検査対象となる画像処理装置へ入力する検査データ入力手段１ｃと、画像処理装置において処理された画像データをＩＥＥＥ１３９４やＵＳＢ等のシリアルまたはパラレルあるいはアナログ等のインタフェースを介して検査システムに取り込む画像データ受信手段１ｈ、および、データ比較手段１ｅ、エリア検出手段１ｆ、良否判定手段１ｇを具備し、入力された画像データに対して各々異なる画像処理を行う第１の機能ブロック２ａ、第２の機能ブロック２ｂ、第３の機能ブロック２ｃ等の画像処理機能を具備する画像処理装置２の検査を行う。この画像処理装置２は、コピー機やファクシミリ（ＦＡＸ）、プリンタ、デジタルラボ等の画像処理システムに組み込まれるものである。
【００２０】
この検査において、画像処理装置の検査システム１では、まず検査データ入力手段１ｃにより、画像処理機能（第１〜第３の機能ブロック２ａ〜２ｃ）による画像処理の実行対象となるそれぞれの要素データを予め定められたエリア別に含む検査用画像データ１ｂを、記憶装置１ａから読み出して検査対象の画像処理装置２に入力する。
【００２１】
尚、本例の画像処理装置の検査システム１では、検査用画像データ１ｂは、図示していないスキャナ手段により予め用意された原稿から読み取り記憶装置１ａに格納する。もしくは、予めＣＤ−ＲＯＭやＤＶＤ等の記録媒体に格納されたものを読み出して記憶装置１ａに格納する。あるいは、ネットワークを介してダウンロードして記憶装置１ａに格納する。
【００２２】
また、検査用画像データ１ｂは、文字データエリア、絵柄データエリア、ゴミや傷もしくは異物等のオリジナル画像および原稿とは異なるノイズデータエリア、紙幣もしくは証券等の有価証券データエリア等、複数のエリアに分けられて、それぞれのエリアには、検査対象の画像処理装置２の各画像処理機能（第１〜第３の機能ブロック２ａ〜２ｃ）による画像処理の実行対象となるそれぞれの要素データが含まれている。
【００２３】
本例では、文字データエリアには、要素データとしての文字データを含み、絵柄データエリアには、要素データとしての絵柄データを含み、ノイズデータエリアには、要素データとしての傷データやゴミデータ等の原稿のノイズデータを含み、有価証券データエリアには、要素データとしての紙幣、証券等の有価証券データを含む。
【００２４】
検査データ入力手段１ｃにより検査用画像データ１ｂが入力された検査対象の画像処理装置２では、第１〜第３の機能ブロック２ａ〜２ｃのそれぞれによる画像処理を行い、処理結果として、画像処理後画像データ２ｄを、画像処理装置の検査システム１に出力する。
【００２５】
画像処理装置の検査システム１は、予め、検査用画像データ１ｂに対して、検査対象の画像処理装置２と同機能の正常な画像処理装置で画像処理して出力された参照用画像データ１ｄを記憶装置に記憶しており、画像データ受信手段１ｈにより検査対象の画像処理装置２から各第１〜第３の機能ブロック２ａ〜２ｃのそれぞれによる画像処理結果としての画像処理後画像データ２ｄを受け取ると、データ比較手段１ｅにおいて、受け取った画像処理後画像データ２ｄと、予め記憶装置に記憶した正常な参照用画像データ１ｄとを比較し、エリア検出手段１ｆにおいて、このデータ比較手段１ｅによる比較でデータ不一致となる座標を検出し、データ不一致エリアを検出する。
【００２６】
そして、このエリア検出手段１ｆにおいてデータ不一致のエリアを検出すると、良否判定手段１ｇにより、当該エリアに含まれる要素データ（文字データ、絵柄データ、ノイズデータ、有価証券データなど）を画像処理の実行対象とする画像処理装置２における画像処理機能ブロック（第１〜第３の機能ブロック２ａ〜２ｃ）を特定し、当該画像処理機能ブロック（第１〜第３の機能ブロック２ａ〜２ｃ）が不良であると判定する。尚、この良否判定手段１ｇにおいては、予め、各エリアの識別情報と、画像処理装置２における各画像処理機能ブロック（第１〜第３の機能ブロック２ａ〜２ｃ）の識別情報とを、テーブル等で対応付けて記憶している。
【００２７】
画像処理装置の検査システム１と検査対象の画像処理装置２とは、制御ラインとデータラインで接続されており、画像処理装置の検査システム１は、制御ラインを制御して、検査対象の画像処理装置２に対して、検査用画像データ１ｂを入力する準備をさせ、検査対象の画像処理装置２の準備が完了すると、検査データ入力手段１ｃを介してデータライン経由で、検査用画像データ１ｂを、検査対象の画像処理装置２に出力する。
【００２８】
検査対象の画像処理装置２では、検査用画像データ１ｂを第１〜第３の機能ブロック２ａ〜２ｃのそれぞれにおいて画像処理を行い、各画像処理後の画像データ（２ｄ）を、データラインを介して画像処理装置の検査システム１に出力する。
【００２９】
画像処理装置の検査システム１は、画像データ受信手段１ｈで受け取った検査対象の画像処理装置２からの各画像処理後画像データ２ｄと、予め記憶装置に格納しておいた正常な画像処理装置による参照用画像データ１ｄとを、データ比較手段１ｅにおいて比較し、データ不一致となるエリアをエリア検出手段１ｆにおいて検出すると、良否判定手段１ｇにより、当該エリアに含まれる要素データ（文字データ、絵柄データ、ゴミや傷もしくは異物等のノイズデータ、紙幣や証券等の有価証券データなど）を画像処理の実行対象とする画像処理装置２における画像処理機能ブロック（第１〜第３の機能ブロック２ａ〜２ｃ）を特定し、不良であると判定する。
【００３０】
例えば、検査用画像データ１ｂのノイズデータエリアの画像データが、ゴミ等の異物データがあるものであれば、正常な画像処理が行われた場合、ゴミ等の異物データは補正されるが、画像処理装置２における当該画像処理を行う画像処理機能ブロック（ノイズデータ除去機能）の不良により、画像処理後データのノイズデータエリアの画像データに異物データが残った場合、データ不一致エリアとして検出され、画像処理装置２における当該画像処理機能ブロック（ノイズデータ除去機能）の不良が判定される。尚、全てのエリアでデータ不一致が検出された場合には、画像処理装置２の不良ではなく、もっと基本的な部分での異常が発生している可能性が高いと判定する。
【００３１】
このようにして、本例の画像処理装置の検査システム１によれば、検査対象の画像処理装置に特別な構成を設けることなく、一度の画像処理工程で、検査対象の画像処理装置における不良個所を特定することができる。
【００３２】
図３は、本発明に係わる画像処理装置検査システムの第２の構成例を示すブロック図である。本例の画像処理装置検査システムのハードウェア構成は、図１における第１の実施例の画像処理装置検査システムと同様、図２に示すものとなる。
【００３３】
本図３に示す例と、図１に示す例との相違は、本図３における画像処理装置の検査システム３１で取り扱う検査用画像データ３１ｂにおいては、特別なエリア分けをしておらず、同じエリアに複数の要素データ（文字データ、絵柄データ、ゴミや傷もしくは異物等のノイズデータ、紙幣や証券等の有価証券データ等）が混在している点と、検査対象の画像処理装置３２が、画像処理機能（第１〜第３の機能ブロック２ａ〜２ｃ）毎に、その画像処理を行うエリアを指定できる機能を有している点である。
【００３４】
図３における画像処理装置の検査システム３１は、検査データ入力手段３１ｃとデータ比較手段３１ｅ、エリア検出手段３１ｆ、良否判定手段３１ｇおよび画像データ受信手段３１ｈを具備し、入力された画像データに対して各々異なる画像処理を行う第１の機能ブロック３２ａ、第２の機能ブロック３２ｂ、第３の機能ブロック３２ｃ等の一つ以上の画像処理機能を具備する画像処理装置３２の検査を行う。この画像処理装置３２は、コピー機やファクシミリ（ＦＡＸ）、プリンタ、デジタルラボ等の画像処理システムに組み込まれるものである。
【００３５】
この検査において、画像処理装置の検査システム３１では、まず検査データ入力手段３１ｃにより、画像処理機能（第１〜第３の機能ブロック２ａ〜２ｃ）による画像処理の実行対象となるそれぞれの要素データを含む検査用画像データ１ｂを、記憶装置１ａから読み出して検査対象の画像処理装置２に入力する。
【００３６】
尚、本例の画像処理装置の検査システム３１においても、検査用画像データ３１ｂは、図示していないスキャナ手段により予め用意された原稿から読み取り記憶装置３１ａに格納する。もしくは、予めＣＤ−ＲＯＭやＤＶＤ等の記録媒体に格納されたものを読み出して記憶装置３１ａに格納する。あるいは、ネットワークを介してダウンロードして記憶装置３１ａに格納する。
【００３７】
尚、検査用画像データ３１ｂは、図１における検査用画像データ１ｂのように、文字データエリア、絵柄データエリア、ノイズデータエリア、有価証券データエリア等、複数のエリアに分けられてはおらず、例えば、同じエリアに、検査対象の画像処理装置２の各画像処理機能（第１〜第３の機能ブロック２ａ〜２ｃ）による画像処理の実行対象となる要素データが複数含まれている。
【００３８】
検査データ入力手段３１ｃにより検査用画像データ３１ｂが入力された検査対象の画像処理装置３２では、操作者からの指定操作により、第１〜第３の機能ブロック２ａ〜２ｃのそれぞれによる画像処理を行うエリアが対応付けて設定されており、第１〜第３の機能ブロック２ａ〜２ｃのそれぞれは、検査用画像データ３１ｂにおける指定のエリアに対する画像処理を行い、処理結果として、画像処理後画像データ３２ｄを、画像処理装置の検査システム３１に出力する。
【００３９】
画像処理装置の検査システム３１は、予め、検査用画像データ３１ｂに対して、検査対象の画像処理装置３２と同機能の正常な画像処理装置により同じエリア設定条件で画像処理して出力された参照用画像データ３１ｄを記憶装置に記憶しており、画像データ受信手段３１ｈにより検査対象の画像処理装置３２から各第１〜第３の機能ブロック３２ａ〜３２ｃのそれぞれによりエリア毎に画像処理された画像処理後画像データ３２ｄを受け取ると、データ比較手段３１ｅにおいて、受け取った画像処理後画像データ３２ｄと、予め記憶装置に記憶した正常な参照用画像データ３１ｄとを比較し、エリア検出手段３１ｆにおいて、このデータ比較手段３１ｅによる比較でデータ不一致となるエリアを検出する。
【００４０】
そして、このエリア検出手段３１ｆにおいてデータ不一致のエリアを検出すると、良否判定手段３１ｇにより、当該エリアが処理対象として指定された画像処理装置３２における画像処理機能ブロック（第１〜第３の機能ブロック３２ａ〜３２ｃ）を特定し、当該画像処理機能ブロック（第１〜第３の機能ブロック３２ａ〜３２ｃ）が不良であると判定する。尚、良否判定手段３１ｇにおいては、各エリア毎に、当該エリアを処理対象として指定された検査対象の画像処理装置における各画像処理機能ブロックを、テーブル等で対応付けて記憶している。
【００４１】
画像処理装置の検査システム３１と検査対象の画像処理装置３２とは、制御ラインとデータラインで接続されており、画像処理装置の検査システム３１は、制御ラインを制御して、検査対象の画像処理装置３２に対して、検査用画像データ３１ｂを入力する準備をさせ、検査対象の画像処理装置３２の準備が完了すると、検査データ入力手段３１ｃを介してデータライン経由で、検査用画像データ３１ｂを、検査対象の画像処理装置３２に出力し、検査対象の画像処理装置３２では、検査用画像データ３１ｂに対して、第１〜第３の機能ブロック３２ａ〜３２ｃのそれぞれにより、指定エリア毎の画像処理を行い、画像処理後の画像データ（３２ｄ）を、データラインを介して画像処理装置の検査システム３１に出力する。
【００４２】
本例の画像処理装置の検査システム３１では、検査に用いる最適な画像データがなく、例えば、第１のエリアおよび第２のエリアのそれぞれにゴミデータや傷データ等の複数の画像処理が行われる画像データを用いることもできる。
【００４３】
すなわち、図１における画像処理装置の検査システム１においても、上述の第１のエリアでデータ不一致が発生するが、ゴミデータ用あるいは傷データ用のいずれの画像処理を行う画像処理機能ブロックの不良であるかを判別することができない。これに対して、図３における画像処理装置の検査システム３１では、第１のエリアに対してはゴミデータ除去処理用の画像処理機能ブロックのみを指定し、第２のエリアに対しては傷データ除去処理用の画像処理機能ブロックのみを指定することで、それぞれの画像処理機能ブロックの不良を検出することができる。
【００４４】
図４は、本発明に係わる画像処理装置検査システムの第３の構成例を示すブロック図である。本例の画像処理装置検査システムのハードウェア構成は、図１，３における第１，第３の実施例の画像処理装置検査システムと同様、図２に示すものとなる。
【００４５】
本図４における画像処理装置の検査システム４１は、図１における画像処理装置検査システム１と図３における画像処理装置検査システム３１のそれぞれの機能を具備している。また、本図４に示す例では、図３に示す例と同様に、検査対象の画像処理装置４２が、画像処理機能（第１〜第３の機能ブロック４２ａ〜４２ｃ）毎に、その画像処理を行うエリアを指定できる機能を有しているが、取り扱う検査用画像データ４１ｂにおいては、図１に示す例と同様に特別なエリア分けをしており、図３に示す例とは異なり、同じエリアに複数の要素データ（文字データ、絵柄データ、ノイズデータ、有価証券データ等）は混在していない。
【００４６】
すなわち、検査用画像データ４１ｂは、文字データエリア、絵柄データエリア、ノイズデータエリア、有価証券データエリア等、複数のエリアに分けられて、それぞれのエリアには、検査対象の画像処理装置４２の各画像処理機能（第１〜第３の機能ブロック４２ａ〜４２ｃ）による画像処理の実行対象となるそれぞれの要素データが含まれている。
【００４７】
ここでは、文字データエリアには、要素データとしての文字データを含み、絵柄データエリアには、要素データとしての絵柄データを含み、ノイズデータエリアには、要素データとしての傷データやゴミデータ等の原稿のノイズデータを含み、有価証券データエリアには、要素データとしての紙幣データを含む。
【００４８】
このような検査用画像データ４１ｂは、図示していないスキャナ手段により予め用意された原稿から読み取り記憶装置４４ａに格納する。もしくは、予めＣＤ−ＲＯＭやＤＶＤ等の記録媒体に格納されたものを読み出して記憶装置４１ａに格納する。あるいは、ネットワークを介してダウンロードして記憶装置４１ａに格納する。
【００４９】
図４における画像処理装置の検査システム４１は、検査データ入力手段４１ｃとデータ比較手段４１ｅ、エリア検出手段４１ｆ、良否判定手段４１ｇおよび画像データ受信手段１ｈを具備し、入力された画像データに対して各々異なる画像処理を行う第１の機能ブロック４２ａ、第２の機能ブロック４２ｂ、第３の機能ブロック４２ｃ等の一つ以上の画像処理機能を具備する画像処理装置４２の検査を行う。
【００５０】
この検査において、画像処理装置の検査システム４１では、検査データ入力手段４１ｃにより、図１における検査用画像データ１ｂと同様、画像処理機能（第１〜第３の機能ブロック４２ａ〜４２ｃ）による画像処理の実行対象となるそれぞれの要素データを予め定められたエリア別に含む検査用画像データ４１ｂを、記憶装置４１ａから読み出して検査対象の画像処理装置２に入力することもできるが、例えば、図３における検査用画像データ３１ｂと同様、同じエリアに複数の要素データ（文字データ、絵柄データ、ノイズデータ、有価証券データ等）が混在している検査用画像データを入力することもできる。
【００５１】
要素データを予め定められたエリア別に含む検査用画像データ４１ｂを用いる場合、本例の画像処理装置の検査システム４１では、図１で例示した画像処理装置の検査システム１と同様の動作を行う。
【００５２】
すなわち、画像処理装置の検査システム４１と検査対象の画像処理装置４２とは、制御ラインとデータラインで接続されており、画像処理装置の検査システム４１は、制御ラインを制御して、検査対象の画像処理装置４２に対して、検査用画像データ４１ｂを入力する準備をさせ、検査対象の画像処理装置４２の準備が完了すると、検査データ入力手段４１ｃを介してデータライン経由で、検査用画像データ４１ｂを、検査対象の画像処理装置４２に出力する。
【００５３】
検査対象の画像処理装置４２では、検査用画像データ４１ｂを第１〜第３の機能ブロック４２ａ〜４２ｃのそれぞれにおいて画像処理を行い、各画像処理後の画像データ（４２ｄ）を、データラインを介して画像処理装置の検査システム４１に出力する。
【００５４】
画像処理装置の検査システム４１は、画像データ受信手段１ｈにより受け取った検査対象の画像処理装置４２からの各画像処理後画像データ４２ｄと、予め記憶装置に格納しておいた正常な画像処理装置による参照用画像データ４１ｄとを、データ比較手段４１ｅにおいて比較し、データ不一致となるエリアをエリア検出手段４１ｆにおいて検出すると、良否判定手段４１ｇにより、当該エリアに含まれる要素データ（文字データ、絵柄データ、ノイズデータ、有価証券データなど）を画像処理の実行対象とする画像処理装置４２における画像処理機能ブロック（第１〜第３の機能ブロック４２ａ〜４２ｃ）を特定し、不良であると判定する。
【００５５】
これに対して、図３における検査用画像データ３１ｂと同様、同じエリアに複数の要素データ（文字データ、絵柄データ、ノイズデータ、有価証券データ等）が混在している検査用画像データを用いる場合、本図４における画像処理装置の検査システム４１は、図３で例示した画像処理装置の検査システム３１と同様の動作を行う。
【００５６】
すなわち、画像処理装置の検査システム４１では、検査データ入力手段４１ｃにより、画像処理機能（第１〜第３の機能ブロック４２ａ〜４２ｃ）による画像処理の実行対象となるそれぞれの要素データを同じエリアに複数含む検査用画像データを、記憶装置４１ａから読み出して検査対象の画像処理装置４２に入力する。
【００５７】
検査データ入力手段４１ｃにより検査用画像データ４１ｂが入力された検査対象の画像処理装置４２では、操作者からの指定操作により、第１〜第３の機能ブロック４２ａ〜４２ｃのそれぞれによる画像処理を行うエリアが対応付けて設定されており、第１〜第３の機能ブロック４２ａ〜４２ｃのそれぞれは、検査用画像データにおける指定のエリアに対する画像処理を行い、処理結果として、画像処理後画像データを、画像処理装置の検査システム４１に出力する。
【００５８】
画像処理装置の検査システム４１は、予め、検査用画像データに対して、検査対象の画像処理装置４２と同機能の正常な画像処理装置により同じエリア設定条件で画像処理して出力された参照用画像データ（４１ｄ）を記憶装置に記憶しており、画像データ受信手段４１ｈにより検査対象の画像処理装置４２から各第１〜第３の機能ブロック４２ａ〜４２ｃのそれぞれによりエリア毎に画像処理された画像処理後画像データ（４２ｄ）を受け取ると、データ比較手段４１ｅにおいて、受け取った画像処理後画像データ（４２ｄ）と、予め記憶装置に記憶した正常な参照用画像データ（４１ｄ）とを比較し、エリア検出手段４１ｆにおいて、このデータ比較手段４１ｅによる比較でデータ不一致となるエリアを検出する。
【００５９】
そして、このエリア検出手段４１ｆにおいてデータ不一致のエリアを検出すると、良否判定手段４１ｇにより、当該エリアが処理対象として指定された画像処理装置４２における画像処理機能ブロック（第１〜第３の機能ブロック４２ａ〜４２ｃ）を特定し、当該画像処理機能ブロック（第１〜第３の機能ブロック４２ａ〜４２ｃ）が不良であると判定する。
【００６０】
このように本図４の画像処理装置の検査システム４１では、検査対象の画像処理装置４２の検査に、図１における検査用画像データ１ｂのように、文字データエリア、絵柄データエリア、ノイズデータエリア、有価証券データエリア等、複数のエリアに分けられて、それぞれのエリアに、検査対象の画像処理装置２の各画像処理機能（第１〜第３の機能ブロック２ａ〜２ｃ）による画像処理の実行対象となるそれぞれの要素データが含まれている検査用画像データを用いることも、図３における検査用画像データ３１ｂのように、検査に用いる最適な画像データがなく、例えば、第１のエリアおよび第２のエリアのそれぞれにゴミデータや傷データ等の複数の画像処理が行われる画像データを用いることもできる。
【００６１】
図５は、本発明に係わる画像処理装置検査方法の第１の処理動作例を示すフローチャートであり、図６は、本発明に係わる画像処理装置検査方法の第２の処理動作例を示すフローチャートである。
【００６２】
図５における画像処理装置検査方法は、図１における画像処理装置の検査システム１の処理動作例を示しており、例えば、第１のエリアに画像のゴミや傷、第２のエリアに顔写真、第３のエリアに文字等の画像データが分けて配置されたＡ３フルサイズの検査用画像データ（１ｂ）を、検査対象の画像処理装置（２）に入力する(ステップＳ５０１)。
【００６３】
検査対象の画像処理装置（２）では、例えば、第１の機能ブロックにおいて画像のゴミや傷等の画像情報を除去する画像処理を行い、第２の機能ブロックにおいて「顔写真」に対する顔表現処理を行い、第３の機能ブロックにおいて「文字データ」に対する文字処理を行う。
【００６４】
このような各機能ブロックによる画像処理後の画像データ（２ｄ）を、検査対象の画像処理装置（２）から取得すると(ステップＳ５０２)、取得した画像処理後画像データ（２ｄ）と予め検査用画像データ（１ｂ）に対する正常な画像処理装置の画像処理結果である参照用画像データ（１ｄ）と比較し(ステップＳ５０３)、データが不一致なエリアの有無を検出する(ステップＳ５０４)。
【００６５】
例えば、第１のエリアの画像のゴミや傷は、第１の機能ブロックにおいて除去され、第２のエリアの顔写真は、第２の機能ブロックにおいて顔表現処理が実行され、第３のエリアの文字データは、第３の機能ブロックにおいて文字処理が実行されるが、機能ブロックに不良であれば、当該エリアにおける画像処理がなされず、その処理結果が異なることとなり、データが不一致なエリアとして検出される。
【００６６】
不一致エリアを検出すれば、検出した不一致エリアをそのＸ，Ｙ座標に基づき識別し、予め当該エリアに対応付けられた機能ブロック（第１〜第３の機能ブロック）を特定して、当該機能ブロックを不良と判定する(ステップＳ５０５)。例えば、第１のエリアが不一致なエリアとして検出した場合、画像のゴミや傷を除去する第１の機能ブロックを不良として判定する。また、不一致エリアを検出しなければ、正常な画像処理装置であると判定する(ステップＳ５０６)。
【００６７】
図６における画像処理装置検査方法は、図３における画像処理装置の検査システム３１の処理動作例を示しており、例えば、同じエリアに画像のゴミや傷と顔写真ならびに文字等の画像データが混在して配置されたＡ３フルサイズの検査用画像データ（３１ｂ）を、検査対象の画像処理装置（３２）に入力する(ステップＳ６０１)。
【００６８】
検査対象の画像処理装置（３２）は、例えば、第１の機能ブロックにより、第１の指定エリアにおける「画像のゴミや傷」の除去処理を行い、第２の機能ブロックにより、第２の指定エリアにおける「顔写真」に対する顔表現処理を行い、第３の機能ブロックにより、第３の指定エリアにおける「文字データ」に対する文字処理を行う。第１〜第３の機能ブロックのそれぞれに指定される第１〜第３のエリアは、Ｘ，Ｙ座標により例えば［（ｘ１，ｙ１）−（ｘｘ１，ｙｙ１）］、［（ｘ２，ｙ２）−（ｘｘ２，ｙｙ２）］、［（ｘ３，ｙ３）−（ｘｘ３，ｙｙ３）］として特定される。
【００６９】
このような各機能ブロックによる画像処理後の画像データ（３２ｄ）を、検査対象の画像処理装置（３２）から取得すると(ステップＳ６０２)、取得した画像処理後画像データ（３２ｄ）と予め検査用画像データ（３１ｂ）に対する正常な画像処理装置の画像処理後の参照用画像データ（３１ｄ）とを比較し(ステップＳ６０３)、データが不一致なエリアの有無を検出する(ステップＳ６０４)。
【００７０】
例えば、第１のエリアに対して第１の機能ブロックが指定され、この第１のエリアに「画像のゴミや傷」データが配置されている場合、第１の機能ブロックが正常であれば、「画像のゴミや傷」の除去処理が実行され、取得した画像処理後画像データ（３２ｄ）と予め用意された正常な画像処理後の参照用画像データ（３１ｄ）との比較で、データが一致するが、第１の機能ブロックが不良であれば、「画像のゴミや傷」の除去処理が正常に実行されないため、取得した画像処理後画像データ（３２ｄ）と予め用意された参照用画像データ（３１ｄ）との比較で、データ不一致となる。
【００７１】
このようにして不一致エリアを検出すれば、検出した不一致エリアをそのＸ，Ｙ座標に基づき識別し、予め当該エリアが指定された機能ブロック（第１〜第３の機能ブロック）を特定して、当該機能ブロックを不良と判定する(ステップＳ６０５)。例えば、上述のように、第１の機能ブロックが指定された第１のエリアが不一致なエリアとして検出した場合、この第１の機能ブロックを不良として判定する。また、不一致エリアを検出しなければ、正常な画像処理装置であると判定する(ステップＳ６０６)。
【００７２】
このように、図６における処理動作例では、例えば、第１のエリアは「画像のゴミや傷」の除去処理のみ（第１の機能ブロック）を指定し、第２のエリアは「顔写真」に対する顔表現処理のみ（第２の機能ブロック）を指定することで、種々の検査用画像データに対応することができる。
【００７３】
以上、図１〜図６を用いて説明したように、本例では、入力された画像データに対して各々異なる画像処理を行う一つ以上の画像処理機能を具備する画像処理装置の検査を行う際、例えば図１，４で示すように、画像処理機能（第１〜第３の機能ブロック）による画像処理の実行対象となるそれぞれの要素データ（文字データ、絵柄データ、ノイズデータ、有価証券データなど）を予め定められたエリア別（文字データエリア、絵柄データエリア、ノイズデータエリア、有価証券データエリアなど）に含む検査用画像データ１ｂ，４１ｂを検査対象の画像処理装置２，４２に入力し、入力された検査用画像データ１ｂ，４１ｂに対して検査対象の画像処理装置２，４２で画像処理され出力された画像データ２ｄ，４２ｄと、予め検査用画像データ１ｂ，４１ｂに対して正常な画像処理装置で画像処理されて出力され記憶装置に記憶された参照用画像データ１ｄ，４１ｄとを比較し、この比較でデータ不一致となるエリアを検出すると当該エリアに含まれる要素データを画像処理の実行対象とする画像処理機能を不良であると判定する。
【００７４】
また、図３で示すように、画像処理機能（第１〜第３の機能ブロック）による画像処理の実行対象となるそれぞれの要素データ（文字データ、絵柄データ、ノイズデータ、有価証券データなど）を含む検査用画像データ３１ｂを検査対象の画像処理装置３２に入力し、入力された検査用画像データ３１ｂに対して検査対象の画像処理装置３２で指定のエリア毎に画像処理され出力された画像データ３２ｄと、予め検査用画像データ３１ｂに対して正常な画像処理装置で画像処理されて出力され記憶装置に記憶された参照用画像データ３１ｄとを比較し、この比較でデータ不一致となるエリアを検出すると、当該エリアが指定された画像処理機能を特定し、この画像処理機能が不良であると判定する。
【００７５】
このことにより、本例では、画像処理装置２，３２，４２側に特別な構成を設けることなく、簡易な構成で、画像処理装置内の各機能ブロックの不良個所を容易に判定することが可能となる。
【００７６】
尚、本発明は、図１〜図６を用いて説明した例に限定されるものではなく、その要旨を逸脱しない範囲において種々変更可能である。例えば、図６における処理に、図１における検査用画像データ１ｂ（一つ以上の画像処理機能による画像処理の実行対象となるそれぞれの要素データを予め定められたエリア別に含む検査用画像データ）を用いることでも良い。
【００７７】
また、本例においては、画像処理装置の検査システム（１，３１，４１）と検査対象の画像処理装置（２，３２，４２）とが、制御ラインとデータラインで別々に接続された構成としているが、制御ラインとデータラインが同じインタフェース構成とすることでも良い。
【００７８】
また、本例では、ハードウェア構成として図２のコンピュータ構成例を示したが、キーボードや光ディスクの駆動装置のないコンピュータ構成としても良い。また、本例では、光ディスクを記録媒体として用いているが、ＦＤ（Flexible Disk）等を記録媒体として用いることでも良い。また、プログラムのインストールに関しても、通信装置を介してネットワーク経由でプログラムをダウンロードしてインストールすることでも良い。
【図面の簡単な説明】
【００７９】
【図１】本発明に係わる画像処理装置検査システムの第１の構成例を示すブロック図である。
【図２】本発明に係わる画像処理装置検査システムのハードウェア構成例を示すブロック図である。
【図３】本発明に係わる画像処理装置検査システムの第２の構成例を示すブロック図である。
【図４】本発明に係わる画像処理装置検査システムの第３の構成例を示すブロック図である。
【図５】本発明に係わる画像処理装置検査方法の第１の処理動作例を示すフローチャートである。
【図６】本発明に係わる画像処理装置検査方法の第２の処理動作例を示すフローチャートである。
【符号の説明】
【００８０】
１，３１，４１：画像処理装置の検査システム、１ａ，３１ａ，４１ａ：記憶装置、１ｂ，３１ｂ，４１ｂ：検査用画像データ、１ｃ，３１ｃ，４１ｃ：検査データ入力手段、１ｄ，３１ｄ，４１ｄ：参照用画像データ、１ｅ，３１ｅ，４１ｅ：データ比較手段、１ｆ，３１ｆ，４１ｆ：エリア検出手段、１ｇ，３１ｇ，４１ｇ：良否判定手段、１ｈ，３１ｈ，４１ｈ：画像データ受信手段、２，３２，４２：画像処理装置、２ａ，３２ａ，４２ａ：第１の機能ブロック、２ｂ，３２ｂ，４２ｂ：第２の機能ブロック、２ｃ，３２ｃ，４２ｃ：第３の機能ブロック、２ｄ，３２ｄ，４２ｄ：画像処理後画像データ、２１：表示装置、２２：入力装置、２３：外部記憶装置、２４：情報処理装置、２４ａ：ＣＰＵ、２４ｂ：主メモリ、２４ｃ：入出力インタフェース、２５：光ディスク、２６：駆動装置、２７：通信装置。
【図１】
2005167767.tif 000003
【図２】
2005167767.tif 000004
【図３】
2005167767.tif 000005
【図４】
2005167767.tif 000006
【図５】
2005167767.tif 000007
【図６】
2005167767.tif 000008